(57)【要約】【課題】ユーザに観察される表示面が複数ある場合に、各表示面に表示される情報をユーザに参照させやすくする。【解決手段】表示装置１０は、正面に第１表示面１３１を有し、背面に第２表示面１３２を有する。表示装置１０は、第１表示面１３１を用いて第１画面Ｒ１を表示し、第２表示面１３２を用いて第２画面Ｒ２を表示する。更に、表示装置１０は、第１画面Ｒ１を表示しているときに、第１表示面１３１を用いて第２画面Ｒ２の透過表示を行う。透過表示において、表示装置１０は、第２画面Ｒ２の透過度を高くした透過画像Ｒ２ｔを表示する非反転モードと、第２画面Ｒ２を左右方向に反転し、且つ、透過度を高くして、第１表示面１３１で表示する反転モードとの透過表示とを選択的に行う。【選択図】図７
2015170291.tif 000002
【特許請求の範囲】
【請求項１】
第１表示面と第２表示面とを含む表示部と、
前記第１表示面を用いて第１画面を表示する第１表示制御部と、
前記第２表示面を用いて第２画面を表示する第２表示制御部と、
前記第１画面が表示されているときに、前記第１表示面を用いて前記第２画面の透過表示を行う第３表示制御部と
を備える表示装置。
【請求項２】
前記第３表示制御部は、
所定方向に反転させた前記第２画面で、前記透過表示を行う
ことを特徴とする請求項１に記載の表示装置。
【請求項３】
前記第３表示制御部は、
前記第２表示面に表示される前記第２画面で、前記透過表示を行う
ことを特徴とする請求項１に記載の表示装置。
【請求項４】
前記第３表示制御部は、
所定方向に反転させた前記第２画面での前記透過表示と、前記第２表示面に表示される前記第２画面での前記透過表示とを選択的に行う
ことを特徴とする請求項２又は請求項３に記載の表示装置。
【請求項５】
前記第３表示制御部は、
ユーザが行った操作に応じて、前記透過表示を行う前記第２画面の透過度を段階的に変化させる
ことを特徴とする請求項１から請求項４のいずれか１項に記載の表示装置。
【請求項６】
前記第１表示面は、前記第２表示面よりも大きく、
前記第３表示制御部は、
前記第２画面のうち前記第２表示面に表示されない領域の前記透過表示を行う
ことを特徴とする請求項１から請求項５のいずれか１項に記載の表示装置。
【請求項７】
前記第１表示面は、前記第２表示面よりも大きく、
前記第３表示制御部は、
ユーザが行った操作に応じて、前記透過表示を行った前記第２画面の表示位置を変更する
ことを特徴とする請求項１から請求項６のいずれか１項に記載の表示装置。
【請求項８】
前記第１表示面と前記第２表示面とは、互いに正反対を向く
ことを特徴とする請求項１から７のいずれか１項に記載の表示装置。
【請求項９】
第１表示面と第２表示面とを含む表示部に画像を表示する表示方法であって、
前記第１表示面を用いて第１画面を表示するステップと、
前記第２表示面を用いて第２画面を表示するステップと、
前記第１画面が表示されているときに、前記第１表示面を用いて前記第２画面の透過表示を行うステップと
を備える表示方法。
【請求項１０】
第１表示面と第２表示面とを含む表示部を制御するコンピュータに、
前記第１表示面を用いて第１画面を表示するステップと、
前記第２表示面を用いて第２画面を表示するステップと、
前記第１画面が表示されているときに、前記第１表示面を用いて前記第２画面の透過表示を行うステップと
を実行させるためのプログラム。
【発明の詳細な説明】
【技術分野】
【０００１】
本発明は、複数の表示面を用いた画面表示に関する。
【背景技術】
【０００２】
ユーザが手に持って使用する携帯型の端末装置において、ユーザの観察側である表面（おもてめん）での画面表示を、裏面に対する操作入力に基づいて制御する技術がある（例えば特許文献１，２）。特許文献１は、裏側に配置された操作キーが操作されると、表側の表示面に表示した当該操作キーのイメージを変更することを開示している。特許文献２は、機器の表面側に設けられた表示パネルでボタン表示を行い、裏面側に設けられたセンサで、当該ボタンを用いた操作を検出することを開示している。
【先行技術文献】
【特許文献】
【０００３】
【特許文献１】特開２０１１−２５４５５４号公報
【特許文献２】特開２００３−３３０６１１号公報
【発明の概要】
【発明が解決しようとする課題】
【０００４】
特許文献１，２に開示された技術において、裏面側は、予め操作入力を検出する手段が設けられる部位であり、ユーザに観察されることが意図されていない。
これに対し、本発明の目的は、ユーザに観察される表示面が複数ある場合に、各表示面に表示される情報をユーザに参照させやすくすることである。
【課題を解決するための手段】
【０００５】
上述した課題を解決するため、本発明の表示装置は、第１表示面と第２表示面とを含む表示部と、前記第１表示面を用いて第１画面を表示する第１表示制御部と、前記第２表示面を用いて第２画面を表示する第２表示制御部と、前記第１画面が表示されているときに、前記第１表示面を用いて前記第２画面の透過表示を行う第３表示制御部とを備える。
【０００６】
本発明の表示装置において、前記第３表示制御部は、所定方向に反転させた前記第２画面で、前記透過表示を行ってもよい。
本発明の表示装置において、前記第３表示制御部は、前記第２表示面に表示される前記第２画面で、前記透過表示を行ってもよい。
本発明の表示装置において、前記第３表示制御部は、所定方向に反転させた前記第２画面の前記透過表示と、前記第２表示面に表示される前記第２画面の前記透過表示とを選択的に行ってもよい。
【０００７】
本発明の表示装置において、前記第３表示制御部は、ユーザが行った操作に応じて、前記透過表示を行う前記第２画面の透過度を段階的に変化させてもよい。
本発明の表示装置において、前記第１表示面は、前記第２表示面よりも大きく、前記第３表示制御部は、前記第２画面のうち前記第２表示面に表示されない領域の前記透過表示を行ってもよい。
本発明の表示装置において、前記第１表示面は、前記第２表示面よりも大きく、前記第３表示制御部は、ユーザが行った操作に応じて、前記透過表示を行った前記第２画面の表示位置を変更してもよい。
本発明の表示装置において、前記第１表示面と前記第２表示面とは、互いに正反対を向いてもよい。
【０００８】
本発明の表示方法は、第１表示面と第２表示面とを含む表示部に画像を表示する表示方法であって、前記第１表示面を用いて第１画面を表示するステップと、前記第２表示面を用いて第２画面を表示するステップと、前記第１画面が表示されているときに、前記第１表示面を用いて前記第２画面の透過表示を行うステップとを備える。
【０００９】
本発明のプログラムは、第１表示面と第２表示面とを含む表示部を制御するコンピュータに、前記第１表示面を用いて第１画面を表示するステップと、前記第２表示面を用いて第２画面を表示するステップと、前記第１画面が表示されているときに、前記第１表示面を用いて前記第２画面の透過表示を行うステップとを実行させるためのプログラムである。
【発明の効果】
【００１０】
本発明によれば、ユーザに観察される表示面が複数ある場合に、各表示面に表示される情報をユーザに参照させやすくすることができる。
【図面の簡単な説明】
【００１１】
【図１】本発明の一実施形態に係る表示装置の外観構成を示す平面図。
【図２】同実施形態に係る表示装置のハードウェア構成を示すブロック図。
【図３】同実施形態に係る表示装置が表示する画面例を示す図。
【図４】同実施形態に係る表示装置が行う透過表示の表示例を示す図。
【図５】同実施形態に係る表示装置の制御部の機能構成を示す機能ブロック図。
【図６】同実施形態に係る表示装置が画面表示するときの処理を示すフローチャート。
【図７】同実施形態に係る表示装置が表示する画面例を示す図（非反転モード）。
【図８】同実施形態に係る表示装置が表示する画面例を示す図（反転モード）。
【図９】本発明の変形例に係る表示装置が第２画面の表示位置の変更に関して行う処理を示すフローチャート。
【図１０】同変形例に係る表示装置における第２画面の表示位置の変更に関する画面例を示す図。
【図１１】同変形例に係る表示装置が透過度の変更に関して行う処理を示すフローチャート。
【図１２】同変形例に係る表示装置における透過度の変更に関する画面例を示す図。
【図１３】同変形例に係る表示装置が第２表示面よりも大きさサイズの第２画面を表示するときの画面例を示す図。
【発明を実施するための形態】
【００１２】
以下、図面を参照しつつ本発明の実施形態を説明する。
図１は、表示装置１０の外観構成を示す平面図である。図１（ａ）は、表示装置１０の正面図である。図１（ｂ）は、表示装置１０の背面図である。以下の説明において、表示装置１０における上下左右の各方向は、図面の上下左右の各方向と一致する。
表示装置１０は、タッチパネルを採用した表示装置であり、ここではスマートフォンである。表示装置１０は、外観構成が略直方体状である。表示装置１０は、独立した２つの表示面として、矩形の第１表示面１３１を正面に有し、矩形の第２表示面１３２を背面に有する。このため、第１表示面１３１と第２表示面１３２とは、互いに正反対を向いている。第１表示面１３１の上下方向の寸法は、第２表示面１３２の上下方向の寸法よりも大きい。第１表示面１３１の左右方向の寸法は、第２表示面１３２の左右方向の寸法と同じである。表示装置１０を正面から見たときの第１表示面１３１の左上隅点Ｐ１と、表示装置１０を背面から見たときの第２表示面１３２の右上隅点Ｐ２とは、第１表示面１３１（又は第２表示面１３２）の法線方向において重なり合う。
更に、表示装置１０は、第１表示面１３１の全体に重ねられた接触センサ１２１と、第２表示面１３２の全体に重ねられた接触センサ１２２とを有する。
【００１３】
図２は、表示装置１０のハードウェア構成を示すブロック図である。図２に示すように、表示装置１０は、制御部１１と、センサ部１２と、表示部１３と、通信部１４と、記憶部１５とを備える。
制御部１１は、ＣＰＵ（Central Processing Unit）を含む演算処理装置と、ＲＯＭ(Read Only Memory)及びＲＡＭ（Random Access Memory）を含むメインメモリとを有するマイクロコンピュータを有する。例えば、ＣＰＵは、ＲＯＭや記憶部１５に記憶されたプログラムをＲＡＭに読み出して実行することにより、表示装置１０の各部を制御する。
【００１４】
センサ部１２は、接触センサ１２１と接触センサ１２２とを含む。接触センサ１２１は、第１表示面１３１上の位置を指示する操作（ここでは、接触操作）を検出するセンサである。接触センサ１２２は、第２表示面１３２上の位置を指示する操作（ここでは、接触操作）を検出するセンサである。接触センサ１２１，１２２は、指示体（典型的には、ユーザの指）を用いて指示された位置を示す操作信号を、制御部１１へ出力する。接触センサ１２１，１２２は、例えば静電容量型のセンサを用いて構成されるが、抵抗膜型や赤外光型のセンサ等の他方式のセンサを用いて構成されてもよい。
【００１５】
表示部１３は、例えば液晶ディスプレイを用いて構成され、第１表示面１３１と第２表示面１３２を含む。表示部１３は、例えば、第１表示面１３１に画像を表示するための記憶領域であるＶＲＡＭ（Video RAM）と、第２表示面１３２に画像を表示するための記憶領域であるＶＲＡＭを個別に有する。
以下の説明において特に断りない限り、第１画面は、第１表示面１３１に表示される画面のことであり、第２画面は、第２表示面１３２に表示される画面のことである。
【００１６】
通信部１４は、例えば無線通信回路及びアンテナを有し、ネットワークに接続して通信するインタフェースである。記憶部１５は、ＥＥＰＲＯＭ（Electronically Erasable and Programmable ROM）やフラッシュメモリ等の記憶装置である。記憶部１５は、例えば、制御部１１により実行される制御プログラム、及び、表示装置１０にインストールされた各種のアプリケーションプログラムを記憶する。
表示装置１０は、図１に示す構成以外にも、汎用のスマートフォンと共通の構成を備える。
【００１７】
図３は、表示装置１０が表示する画面の一例を示す図である。図３（ａ）は、第１表示面１３１を用いて表示される第１画面Ｒ１と、第２表示面１３２を用いて表示される第２画面Ｒ２とを示す図である。第１画面Ｒ１及び第２画面Ｒ２は、ユーザが表示装置１０に対して操作を行うときに表示される操作画面である。操作画面は、例えば表示装置１０のホーム画面（又はデスクトップ画面）であるが、この例に限られない。
【００１８】
第１画面Ｒ１は、アイコンＩ１〜Ｉ９が配置された画面である。アイコンＩ１〜Ｉ９の各々は、表示装置１０にインストールされたアプリケーションプログラムを表すオブジェクトである。アイコンＩ１〜Ｉ９の各々は、ユーザが操作可能であり、対応するアプリケーションプログラムを実行させるときに操作される。第２画面Ｒ２は、ウィンドウＷが配置された画面である。ウィンドウＷは、時計機能を表すオブジェクトである。ウィンドウＷも、ユーザが操作可能なオブジェクトである。
【００１９】
表示装置１０は、第１表示面１３１を用いて第１画面を表示するときに、第２画面を透過表示する機能を有する。第２画面の透過表示は、例えば、第１画面及び第２画面の少なくとも一方を半透明にする透明処理を施して、第１画面と第２画面を重ねて表示することにより行われる。更に、透過表示のモードとして、第２画面を反転させない（つまり非反転とする）非反転モードと、第２画面を所定方向に反転させる反転モードとがある。換言すると、反転モードは、第２画面の鏡像を透過表示するモードである。
【００２０】
図４は、表示装置１０が行う透過表示の表示例を示す図である。図４には、図３で説明した第１画面Ｒ１の表示中に、第２画面Ｒ２が透過表示される例が示されている。図４（ａ）は非反転モードに対応し、図４（ｂ）は反転モードに対応する。図４及び以下で説明する各図において、透過表示が行われている領域を、中間調を用いて表す。また、第１画面のうち、第２画面の透過表示が行われている領域を破線で表し、それ以外の領域を実線で表す。
図４（ａ）に示すように、非反転モードでは、第１画面Ｒ１に重ねて、第２画面Ｒ２を表す透過画像Ｒ２ｔが表示される。透過画像Ｒ２ｔは、第２画面Ｒ２の透過度を高くした画像に等しい。ウィンドウＷｔは、透過度が異なること以外は、見かけ上はウィンドウＷと同じである。透過画像Ｒ２ｔは、ここでは、第１画面Ｒ１よりもユーザ側の階層に配置される。図４（ｂ）に示すように、反転モードでは、第１画面Ｒ１に重ねて、第２画面Ｒ２を左右方向に反転させた透過画像Ｒ２ｔが表示される。透過画像Ｒ２ｔは、第２画面Ｒ２を左右反転させ、更に、第２画面Ｒ２の透過度を高くした画像に等しい。ウィンドウＷｔは、ウィンドウＷを左右反転し、更に、透過度を異ならせた画像と同じである。
透過表示のモードに関わらず、表示装置１０は、第１表示面１３１のうち、第２表示面１３２と重なる領域で、透過表示を行う。
【００２１】
次に、表示装置１０で実現される画面表示に関わる機能について説明する。
図５は、表示装置１０の制御部１１の機能構成を示す機能ブロック図である。図５に示すように、表示装置１０の制御部１１は、制御プログラムを実行することにより、操作受付部１１１と、第１表示制御部１１２と、第２表示制御部１１３と、第３表示制御部１１４とに相当する機能を実現する。
【００２２】
操作受付部１１１は、表示装置１０に対してユーザが行った操作を受け付ける。例えば、操作受付部１１１は、接触センサ１２１から供給される操作信号に基づいて、第１表示面１３１上の位置を指示する操作（ここでは、接触操作）を受け付ける。操作受付部１１１は、接触センサ１２２から供給される操作信号に基づいて、第２表示面１３２上の位置を指示する操作（ここでは、接触操作）を受け付ける。
【００２３】
第１表示制御部１１２は、表示部１３を制御して、第１表示面１３１を用いて第１画面を表示する。第１表示制御部１１２は、第１画面を表す画面データ（例えばビットマップデータ）を、表示部１３のＶＲＡＭに書き込むことにより、第１表示面１３１を用いた画面表示を行う。
第２表示制御部１１３は、表示部１３を制御して、第２表示面１３２を用いて第２画面を表示する。第２表示制御部１１３は、第２画面を表す画面データ（例えばビットマップデータ）を、表示部１３のＶＲＡＭに書き込むことにより、第２表示面１３２を用いた画面表示を行う。
【００２４】
第３表示制御部１１４は、第１表示面１３１で第１画面が表示されているときに、第１表示面１３１を用いて第２画面の透過表示を行う。例えば、第３表示制御部１１４は、非反転モードに従った透過表示と、反転モードに従った透過表示とを選択的に行う。第３表示制御部１１４は、例えば、第２画面の透過度を高くする透過処理を施して、透過画像を表す画像データを生成し、第１画面を表す画像データと合成する。第３表示制御部１１４は、この合成後の画面データをＶＲＡＭに書き込むことにより、第２画面の透過表示を行う。
第１表示制御部１１２、第２表示制御部１１３及び第３表示制御部１１４の各々は、例えば、操作受付部１１１が受け付けた操作に従って画面表示を行う。
次に、表示装置１０の動作を説明する。
【００２５】
図６は、表示装置１０が画面表示するときの処理を示すフローチャートである。図７は、表示装置１０が表示する画面例を示す図である。
表示装置１０の制御部１１は、表示部１３を制御して、第１表示面１３１に第１画面を表示する（ステップＳ１）。このとき、制御部１１は、第２表示面１３２に第２画面を表示してもよいし、画面表示しなくてもよい。
【００２６】
次に、制御部１１は、第１表示面１３１において、第２画面の透過表示を開始するかどうかを判断する（ステップＳ２）。透過表示の開始条件は、予め決められていればよい。この開始条件は、例えば、第２表示面１３２に対する長押し操作が行われたという条件である。長押し操作は、例えば、第２表示面１３２上の位置を所定時間（例えば３秒）継続して指示する操作である。
第２表示面１３２に対する長押し操作を受け付けると、制御部１１は、ステップＳ２の処理で「ＹＥＳ」と判断し、ステップＳ３の処理に進める。
【００２７】
次に、制御部１１は、非反転モードと反転モードとのどちらか一方を選択する（ステップＳ３）。透過表示のモードの選択条件は、予め決められていればよい。この選択条件は、例えば、第２画面に文字が所定量（例えば、所定文字数）以上含まれる場合には、非反転モードを選択し、第２画面に文字が所定量未満でしか含まれない場合には、反転モードを選択するという条件である。
【００２８】
ここで、図７（ａ）に示すように、所定のアプリケーションプログラムを実行したときに表示される第１画面Ｒ３（即ち、アプリケーション利用画面）が、第１表示面１３１に表示され、当該アプリケーションプログラムのマニュアルを示す第２画面Ｒ４が、第２表示面１３２に表示される場合を考える。第２画面Ｒ４は、複数の文字やイラストを含む画面である。この場合、第２画面Ｒ４が文字を所定量以上含むので、制御部１１は、ステップＳ３の処理で非反転モードを選択する（ステップＳ３；非反転）。そして、制御部１１は、非反転モードに従って、第２画面の透過表示を行う。
【００２９】
ここでは、図７（ｂ）に示すように、制御部１１は、第２画面Ｒ４の透過表示を行う。即ち、制御部１１は、第１表示面１３１において、第１画面Ｒ３に重ねて、第２画面Ｒ４を表す透過画像Ｒ４ｔを表示する。他方、制御部１１は、第２表示面１３２において、第２画面Ｒ４の表示を継続する。第２画面Ｒ４の透過表示を見たユーザは、第１画面Ｒ３を参照してアプリケーションプログラムに関する操作をしつつ、第２画面Ｒ４の情報を参照することができる。
【００３０】
図６に戻り、制御部１１は、第２画面の透過表示を終了するかどうかを判断する（ステップＳ６）。透過表示を継続する場合は、制御部１１は、ステップＳ３の処理に戻す。透過表示を終了する場合は（ステップＳ６；ＹＥＳ）、制御部１１は、第１表示面１３１の画面表示を終了するかどうかを判断する（ステップＳ７）。制御部１１は、第１表示面１３１の画面表示を継続する場合は（ステップＳ７；ＮＯ）、第１表示面１３１で第１画面を表示しつつ、ステップＳ２の処理に戻す。他方、制御部１１は、別の画面に遷移させたり、第１表示面１３１の画面表示を終了したりする場合は、ステップＳ７の処理で「ＹＥＳ」と判断し、画面表示を終了する。
なお、ステップＳ２の処理で透過表示をしないと判断した場合（ステップＳ２；ＮＯ）、制御部１１は、ステップＳ７の処理に進める。
【００３１】
次に、ステップＳ１の処理で、図３で説明した第１画面Ｒ１及び第２画面Ｒ２が表示された場合を考える。この場合、第２画面Ｒ２は文字を所定量未満でしか含まない。このため、制御部１１は、ステップＳ３の処理で反転モードを選択する（ステップＳ３；反転）。そして、制御部１１は、反転モードに従って、第２画面の透過表示を行う（ステップＳ５）。
【００３２】
図３で説明した画面表示を行う場合、図４（ｂ）に示すように、制御部１１は、第２画面Ｒ２の透過表示を行う。即ち、制御部１１は、第１表示面１３１において、第１画面Ｒ１に重ねて、第２画面Ｒ２を左右に反転させた透過画像Ｒ４ｔを表示する。他方、制御部１１は、第２表示面１３２において、第２画面Ｒ２の表示を継続する。第２画面Ｒ２の透過表示を見たユーザは、第１画面Ｒ１の情報と第２画面Ｒ２の情報との両方を参照することができる。
【００３３】
更に、制御部１１は、第２画面の透過表示中に、第１表示面１３１に対して行われた操作に基づいて、第２画面Ｒ２をカスタマイズすることができる。
図８（ａ）に示すように、ユーザが、透過画像Ｒ２ｔに含まれるウィンドウＷｔの表示位置に指Ｆを触れさせて、指Ｆを矢印Ａ１ｔ方向に移動させた場合を考える。この場合、制御部１１は、第２表示面１３２において表示するウィンドウＷを、ウィンドウＷｔの正反対側で表示するように、矢印Ａ１方向に移動させて表示位置を変更する。第１表示面１３１における右上方向にウィンドウＷｔが移動させられた場合、制御部１１は、図８（ｂ）に示すように、第２表示面１３２における左上方向にウィンドウＷを移動させる。
ユーザは、第２画面Ｒ２が、表示装置１０を通して透けて見えるような感覚を得られるので、第２画面Ｒ２をカスタマイズするための操作を、直感的な操作で行うことができる。
【００３４】
制御部１１は、第２画面の透過表示中に、当該第２画面を参照して行う更に別の処理を実行してもよい。例えば、制御部１１は、第２画面に配置されたオブジェクト（例えばアイコン）を削除したり、当該オブジェクトが操作されたときに実行される機能に関する設定（例えば、プロパティ画面の表示及び操作）を行ったりしてもよい。
なお、制御部１１は、ステップＳ５の処理で透過表示を行った後は、ステップＳ６の処理に進めることとなる。以降の動作は既に説明したから、ここでは説明を省略する。
【００３５】
以上説明した表示装置１０は、第１画面を表示する第１表示面１３１において、第２画面を透過表示することにより、第１画面及び第２画面の各画面の情報を、第１表示面１３１上で表示する。このため、ユーザは、第１画面及び第２画面の各画面の情報を参照する場合に、表示装置１０の姿勢を変化させる動作（より詳細には、第１表示面１３１と第２表示面１３２の向きを反転させる動作）をしなくてよい。また、表示装置１０によれば、表示面が複数ある場合の画面表示において、視覚的な面白み、操作上の面白みを、ユーザに与えることができる。
更に、表示装置１０は、非反転モードでの透過表示と、反転モードでの透過表示とを選択的に行う。これにより、非反転モードで透過表示が行われた場合には、例えば、ユーザは、第２画面の情報を理解しやすい。反転モードで透過表示が行われた場合には、ユーザは、第２表示面１３２に対する直感的な操作によって行うことができる。
【００３６】
［変形例］
本発明は、上述した実施形態と異なる形態で実施することが可能である。本発明は、例えば、以下のような形態で実施することも可能である。また、以下に示す変形例は、各々を適宜に組み合わせてもよい。
（変形例１）
上述した実施形態では、表示装置１０が、反転モードを選択して第２画面を透過表示した場合に、第１表示面１３１に対する操作に基づいて、第２画面を参照して行う処理を実行する例を説明した。この例に限られず、表示装置１０は、非反転モードを選択したときに同様に処理を行ってもよい。また、表示装置１０は、アイコンを配置した操作画面以外の第２画面を透過表示したときに、第１表示面１３１に対する操作に基づいて、第２画面を参照して行う処理を実行してもよい。
【００３７】
（変形例２）
表示装置１０は、第１表示面１３１で第２画面の透過表示を行っているときに、当該第２画面の表示位置を変更可能にしてもよい。図９は、表示装置１０が第２画面の表示位置の変更に関して行う処理を示すフローチャートである。表示装置１０は、図６で説明した処理と並行して、図９に示す処理を行う。図１０は、表示装置１０における第２画面の表示位置の変更に関する画面例を示す図である。図１０には、図７で説明した透過表示に対応した画面例が示されている。
【００３８】
まず、制御部１１は、透過表示した第２画面の表示位置を変更する操作を受け付けたかどうかを判断する（ステップＳ１１）。制御部１１は、第１表示面１３１の透過画像の表示位置を指示する操作により、当該表示位置を指定する操作を受け付ける。そして、制御部１１は、ユーザの表示位置を変更する操作を受け付けると（ステップＳ１１；ＹＥＳ）、透過表示の位置（即ち、透過画像の位置）を変更する（ステップＳ１２）。
【００３９】
例えば、ユーザは、透過画像の表示位置に指を触れさせて、第１表示面１３１上の所定の位置に、透過画像を移動させる操作を行う。制御部１１は、表示位置を変更する操作を受け付けているときには、ステップＳ１１;ＹＥＳ→ステップＳ１２→ステップＳ１１;ＹＥＳ・・・の処理を繰り返し行う。表示位置を指定する操作を受け付けていないときには、制御部１１は、ステップＳ１１の処理で「ＮＯ」と判断し、待機する。
図１０（ａ）には、ユーザが、透過画像Ｒ４ｔの表示位置に指Ｆを触れさせて、下向きの矢印Ａ２方向に移動させた場合が例示されている。この場合、図１０（ｂ）に示すように、制御部１１は、透過画像Ｒ４ｔの表示位置を下方向に移動させる。この表示位置の変更により、ユーザにとっては、第１画面において透過画像と重なっていた領域の情報を参照しやすくなる。
【００４０】
（変形例３）
表示装置１０は、透過表示させた第２画面の透過度（透過率）を変更する構成を備えてもよい。図１１は、表示装置１０が透過度の変更に関して行う処理を示すフローチャートである。図１２は、表示装置１０における透過度の変更に関する画面例を示す図である。
まず、表示装置１０の制御部１１は、第２表示面１３２に対する接触操作を受け付けているかどうかを判断する（ステップＳ２１）。図１２（ａ）に示すように、第２表示面１３２に指Ｆを触れさせる接触操作が行われると、制御部１１は、ステップＳ２１の処理で「ＹＥＳ」と判断する。そして、制御部１１は、第１表示面１３１で第２画面の透過表示を開始した後、透過表示した第２画面の透過度を低くする（ステップＳ２２）。例えば、制御部１１は、単位時間の接触操作に応じて、透過度を単位量だけ低くする。これにより、図１２（ｂ）に示すように、制御部１１は、第１表示面１３１において、第２画面の透過表示を行う。
【００４１】
次に、制御部１１は、透過度が閾値に到達したかどうかを判断する（ステップＳ２３）。閾値は予め決められた透過度であるが、例えば０％又は０％よりも大きい所定値である。閾値は、例えば、ユーザが第１画面よりも第２画面を観察しやすい透過度に設定される。制御部１１は、ステップＳ２３の処理で「ＮＯ」と判断した場合、ステップＳ２１の処理に戻す。そして、制御部１１は、第１表示面１３１で第１画面を表示しているときに、第２表示面１３２に対する接触操作を受け付けているときには、ステップＳ２１；ＹＥＳ→ステップＳ２２→ステップＳ２３；ＮＯ→ステップＳ２１；ＹＥＳ→・・・の処理を繰り替えし実行して、第２画面の透過度を段階的（連続的）に低下させる。
【００４２】
そして、制御部１１は、透過度が閾値に到達したと判断すると（ステップＳ２３；ＹＥＳ）、透過表示を終了し、第１画面に代えて、第２画面を第１表示面１３１において表示する（ステップＳ２４）。換言すると、制御部１１は、図１２（ｃ）に示すように、第１表示面１３１において、第１画面をアクティブにしていた状態から、第２画面をアクティブにする状態に切り替える。ユーザにとっては、第２画面を正面側に押し出すような操作をすることにより、第１表示面１３１で第２画面がアクティブ状態になるので、直感的な操作によって画面の切り替えを行える。
なお、第２表示面１３２については、制御部１１は、第２画面の表示を終了する。更に、制御部１１は、第２画面に代えて、直前まで第１表示面１３１で表示していた第１画面を、第２表示面１３２に表示してもよい。
この変形例において、制御部１１は、ユーザが行った操作に応じて、透過度を段階的に高くしてもよい。また、制御部１１は、ステップＳ２４の処理を省略して、第１表示面１３１でアクティブにする画面を切り替えないようにしてもよい。
【００４３】
（変形例４）
図１３（ａ）に示すように、表示装置１０が、第２表示面１３２において第２表示面１３２よりも大きさサイズの第２画面（範囲を二点鎖線で示す。）を表示する場合、その一部の領域のみを、第２表示面１３２で表示することになる。この場合、第２画面のうちの２で非表示の領域を表示させるためには、ユーザは、非表示の領域を第２表示面１３２に移動させる操作を行うこととなる。
この場合の透過表示において、図１３（ｂ）に示すように、制御部１１は、第２画面のうち、第２表示面１３２では非表示の領域を、第１表示面１３１で透過表示により表示してもよい。ここでは、制御部１１は、第２画面の全体を、第１表示面１３１を用いて透過表示している。第１表示面１３１は第２表示面１３２よりも大きいので、ユーザは、第２画面のうち、第２表示面１３２よりも広い範囲を参照することができる。
【００４４】
（変形例５）
透過表示のモードの選択条件は、文字の量を条件とする例に限られない。例えば、アプリケーションプログラム毎又はアプリケーションプログラムが属するカテゴリ毎に、アプリケーションプログラムの提供者又はユーザによって決められてもよい。また、制御部１１が第２画面を解析して、透過表示のモードを選択してもよい。
また、表示装置１０は、非反転モードでの透過表示と、反転モードでの透過表示との一方のみを行ってもよい。
また、表示装置１０が透過表示を行う第２画面は、各種の操作画面やアプリケーションプログラムを実行したときの表示画面に限らず、どのような表示画面であってもよい。
【００４５】
（変形例６）
表示装置１０が行う透過表示は、透過画像が、第１画面よりもユーザからみて奥側の階層に配置される方法で行われてもよい。この場合、制御部１１は、第１画面の透過度を、透過処理によって高くするとよい。
【００４６】
（変形例７）
表示装置１０は、第２表示面１３２に対する長押し操作を受け付けて透過表示を開始していたが、開始条件はこの例に限られない。例えば、表示装置１０は、第２表示面１３２に対して、円等の図形を描く操作や、表示面のはじくような操作等の他の操作を受け付けて、透過表示を開始してもよい。また、表示装置１０は、表示装置１０に設けられた物理キーを用いて透過表示を開始してもよい。なお、これらの操作方法は、上述した変形例２で説明した透過度を変更する操作に適用されてもよい。
また、表示装置１０は、接触操作に代えて又は組み合わせて、表示装置１０は、第１表示面１３１や第２表示面１３２に対して非接触で行われる近接操作を、近接センサを用いて検出してもよい。また、アイコンを選択する操作は、表示装置１０に設けられた物理キーを用いて行われてもよく、その具体的な操作方法は特に問わない。
【００４７】
（変形例８）
表示装置１０において、第１表示面１３１と第２表示面１３２との形状や寸法の関係は特に問わない。例えば、第１表示面１３１と第２表示面１３２とが同一形状且つ同一サイズであってもよい。また、表示装置１０は、正面と背面とに表示面を有する表示装置でなくてもよい。例えば、表示装置１０は、正面等の同一面に２つの表示面を設けた表示装置であってもよい。また、表示装置１０は、互いに異なる方向を向く表示面として、正面と側面とに表示面をそれぞれ備えてもよい。
なお、第１表示面１３１と第２表示面１３２との上下方向が逆である場合、制御部１１は、反転モード時においては、第２画面Ｒ２を更に上下方向に反転させて透過表示を行うことが望ましい。即ち、第１表示面１３１と第２表示面１３２との位置関係に応じて、反転モードが選択されたときの反転方向が異なったり、制御部１１により非反転モードが選択されたりしてもよい。更に、制御部１１は、選択したモードや、反転モードの選択時の反転方向を、ユーザに対して明示する表示（例えばメッセージ又はアイコンの表示）を行ってもよい。
また、表示装置１０は、タッチパネルを採用した表示装置でなくてもよい。この場合、表示装置１０は、例えば、物理キー等の操作手段を用いて、ユーザが行った操作を受け付ける。この場合に、制御部１１は、第２画面を透過表示した状態で、第２表示面１３２上の位置を指示する操作を受け付けているときには、当該操作で指示された位置をユーザに対して明示する表示（例えばカーソル表示）を、第１表示面１３１を用いて行ってもよい。
【００４８】
表示装置１０は、スマートフォン以外の表示装置であってもよく、例えばタブレット型コンピュータやフィーチャーフォン、パーソナルコンピュータ、ＰＤＡ（Personal Digital Assistant）、携帯型ゲーム機、携帯型音楽プレーヤ等のＧＵＩを提供する表示装置であればよい。
また、本発明の表示装置は、少なくとも、オブジェクトの表示制御を行う機能を有していればよい。例えば、オブジェクトが選択されたときに実行される機能（例えば、アプリケーションプログラムの実行）については、表示装置とは別に設けられた装置（処理装置）に制御されてもよい。
上述した各実施形態において、表示装置１０の制御部１１が実現する各機能は、複数のプログラムの組み合わせによって実現され、又は、複数のハードウェア資源の連係によって実現されうる。制御部１１の機能がプログラムを用いて実現される場合、このプログラムは、磁気記録媒体（磁気テープ、磁気ディスク（ＨＤＤ（Hard Disk Drive）、ＦＤ（Flexible Disk））等）、光記録媒体（光ディスク等）、光磁気記録媒体、半導体メモリ等のコンピュータ読取り可能な記録媒体に記憶した状態で提供されてもよいし、ネットワークを介して配信されてもよい。また、本発明は、表示方法として把握することも可能である。
【符号の説明】
【００４９】
１０…表示装置、１１…制御部、１１１…操作受付部、１１２…第１表示制御部、１１３…第２表示制御部、１１４…第３表示制御部、１２…センサ部、１２１，１２２…接触センサ、１３…表示部、１３１…第１表示面、１３２…第２表示面、１４…通信部、１５…記憶部。
【図１】
2015170291.tif 000003
【図２】
2015170291.tif 000004
【図３】
2015170291.tif 000005
【図４】
2015170291.tif 000006
【図５】
2015170291.tif 000007
【図６】
2015170291.tif 000008
【図７】
2015170291.tif 000009
【図８】
2015170291.tif 000010
【図９】
2015170291.tif 000011
【図１０】
2015170291.tif 000012
【図１１】
2015170291.tif 000013
【図１２】
2015170291.tif 000014
【図１３】
2015170291.tif 000015